(57)【要約】【課題】  給湯機能と給茶機能との整合性を保ちながら湯の温度制御をできるだけ簡単な構成で、かつ安価に実現することが可能な給茶機能付き電気ポットを提供する。【解決手段】  電気ポット本体２と給茶機本体３とが一体的に結合されるとともに、電気ポット本体２と給茶機本体３の双方の動作を制御する制御手段１２、およびお茶を飲むのに適した茶対応温度に湯を保温する茶対応保温モードと、これよりも高温に湯を保温する高温保温モードとをそれぞれ設定する保温モード設定手段１６を備え、制御手段１２は、保温モード設定手段１６で設定された保温モードに基づいて湯の温度制御を行う。【選択図】  図５
2005296054.tif 000002
【特許請求の範囲】
【請求項１】
電気ポット本体と給茶機本体とが一体的に結合され、前記電気ポット本体には湯を貯める内容器、給湯ポンプ、湯の加熱保温用のヒータ、および湯の吐出口が設けられ、前記給茶機本体にはホッパ、給茶モータ、茶の吐出口がそれぞれ設けられ、また、前記電気ポット本体と給茶機本体の双方の動作を制御する制御手段、およびお茶を飲むのに適した茶対応温度に湯を保温する茶対応保温モードとこれよりも高温に湯を保温する高温保温モードとをそれぞれ設定する保温モード設定手段を備え、前記制御手段は、この保温モード設定手段に設定された保温モードに基づいて湯の温度制御を行うことを特徴とする給茶機能付き電気ポット。
【請求項２】
前記制御手段は、前記保温モード設定手段による保温モードが未設定の場合には茶対応保温モードに基づいて湯の温度制御を行うものであることを特徴とする請求項１記載の給茶機能付き電気ポット。
【請求項３】
前記制御手段は、前記保温モード設定手段により茶対応保温モードが設定された場合には湯を沸騰させることなく茶対応保温温度まで昇温してから保温する温度制御を行い、高温保温モードが設定された場合には湯を沸騰温度まで昇温してから保温する温度制御を行うものであることを特徴とする請求項１または請求項２に記載の給茶機能付き電気ポット。
【請求項４】
前記制御手段は、茶対応保温モードが設定されている状態で、高温保温モードが設定された場合、あるいは再沸騰キーがオンされた場合には、茶対応保温モードを解除して湯を沸騰温度まで昇温してから高温保温モードで設定された湯温に保温する温度制御に移行するものであることを特徴とする請求項１ないし請求項３のいずれか１項に記載の給茶機能付き電気ポット。
【請求項５】
前記制御手段は、前記保温モード設定手段により茶対応保温モードが設定された場合には茶対応保温温度以下の所定の温度範囲内において前記給湯ポンプの給湯動作を許容する制御を行うものであることを特徴とする請求項１ないし請求項４のいずれか１項に記載の給茶機能付き電気ポット。
【請求項６】
前記制御手段は、給茶機本体の給茶モータが起動されてから所定時間内は、電気ポット本体の給湯ポンプに対する通電量を給茶モータを起動しない場合の通電量よりも少なくなるように制御するものであることを特徴とする請求項１ないし請求項５のいずれか１項に記載の給茶機能付き電気ポット。
【請求項７】
前記制御手段は、前記給湯ポンプが起動された場合には給茶動作を所定の期間にわたって停止するものであることを特徴とする請求項１ないし請求項６のいずれか１項に記載の給茶機能付き電気ポット。
【発明の詳細な説明】
【技術分野】
【０００１】
本発明はは、電気ポットに給茶機能を付属させた給茶機能付き電気ポットに関する。
【背景技術】
【０００２】
従来より各家庭やオフィスにおいて電気ポットが広く利用されている（例えば、特許文献１参照）。また、近年では、茶葉を粉状にし、この粉茶をコップ等の容器に入れてそのまま湯を注いで喫茶することも行われている。このような粉茶は、スプーンなどで特に計量しなくても常に一定量を簡単に容器に入れることがてきれば便利である。このため、従来技術では、一定量の粉茶を供給することが可能な給茶機が提供されている。
【０００３】
すなわち、従来の給茶機は、粉茶を入れるホッパの下部にスクリュを設け、このスクリュにモータを接続し、給茶スイッチを押すとモータが一定時間にわたってスクリュを回転し、これによりホッパに貯められている粉茶の一定量が給茶口から排出されるようにしている。
【０００４】
さらに、従来技術では、給茶機に対して給湯機構を接続して、粉茶と湯とを自動的にコップ等の容器に注入できるようにした装置も提供されている（例えば、特許文献２参照）。
【０００５】
【特許文献１】特開２００３−２１０３３０号公報
【特許文献２】特開２０００−１４５５３号公報
【発明の開示】
【発明が解決しようとする課題】
【０００６】
しかしながら、前者のような給茶機単体のものは、喫茶のためには電気ポットを別途準備する必要があるので、両者を揃えることを前提して見た場合には装置全体が高価なものになる。また、電気ポットと給茶機とを別々に設置する必要があるので、設置面積を十分にとれない狭いところでは置き場所に困り、使い勝手が悪い。
【０００７】
さらに、給茶機の動作を制御するコントローラと、電気ポットの動作を制御するコントローラとは別々になるため、両者の制御動作の整合性をとることが難しい。例えば、粉茶に湯を注いで飲むのに適した温度は約８０℃前後であるが、従来の電気ポットでは、このようなことは考慮されておらず、保温モードでは９８℃や９０℃程度の比較的高温に加熱して保温するようにしている。したがって、お茶を飲みたいときには、冷水を注ぎ足したり、湯が自然に冷えるのを待つ必要があるなど、余分な手間と時間がかかる。
【０００８】
また、後者の特許文献２のものは、容器を置いておくだけで一定量の粉茶と適温の湯ととが自動的に注がれるので、容器の移動が不要であり、また湯の温度も適切に設定されている分、使い勝手は良いが、従来のものは装置全体の形状が極めて大きく、家庭やオフィスの片隅に置いて利用するといったことが難しい。
【０００９】
本発明は、上記の問題点に鑑みてなされたもので、給湯機能と給茶機能との整合性を保ちながら湯の温度制御を行うことができ、かつ使い勝手が良く、しかも、できるだけ簡単な構成で、かつ安価に実現することが可能な給茶機能付き電気ポットを提供することを目的とする。
【課題を解決するための手段】
【００１０】
上記の目的を達成するために、本発明の給茶機能付き電気ポットは、次の構成を採用している。
【００１１】
すなわち、請求項１記載における給茶機能付き電気ポットは、電気ポット本体と給茶機本体とが一体的に結合されており、前記電気ポット本体には湯を貯める内容器、給湯ポンプ、湯の加熱保温用のヒータ、および湯の吐出口が設けられ、前記給茶機本体にはホッパ、給茶モータ、茶の吐出口がそれぞれ設けられ、また、前記電気ポット本体と給茶機本体の双方の動作を制御する制御手段、およびお茶を飲むのに適した茶対応温度に湯を保温する茶対応保温モードとこれよりも高温に湯を保温する高温保温モードとをそれぞれ設定する保温モード設定手段を備え、前記制御手段は、この保温モード設定手段に設定された保温モードに基づいて湯の温度制御を行うことを特徴とする。
【００１２】
請求項２記載における給茶機能付き電気ポットは、請求項１記載の発明の構成において、前記制御手段は、前記保温モード設定手段による保温モードが未設定の場合には茶対応保温モードに基づいて湯の温度制御を行うものであることを特徴とする。
【００１３】
請求項３記載における給茶機能付き電気ポットは、請求項１または請求項２に記載の発明の構成において、前記制御手段は、前記保温モード設定手段により茶対応保温モードが設定された場合には湯を沸騰させることなく茶対応保温温度まで昇温してから保温する温度制御を行い、高温保温モードが設定された場合には湯を沸騰温度まで昇温してから保温する温度制御を行うものであることを特徴とする。
【００１４】
請求項４記載における給茶機能付き電気ポットは、請求項１ないし請求項３のいずれか１項に記載の発明の構成において、前記制御手段は、茶対応保温モードが設定されている状態で、高温保温モードが設定された場合、あるいは沸騰キーがオンされた場合には、茶対応保温モードを解除して湯を沸騰温度まで昇温してから高温保温モードで設定された湯温に保温する温度制御に移行するものであることを特徴とする。
【００１５】
請求項５記載における給茶機能付き電気ポットは、請求項１ないし請求項４のいずれか１項に記載の発明の構成において、前記制御手段は、前記保温モード設定手段により茶対応保温モードが設定された場合には茶対応保温温度以下の所定の温度範囲内において前記給湯ポンプの給湯動作を許容する制御を行うものであることを特徴とする。
【００１６】
請求項６記載における給茶機能付き電気ポットは、請求項１ないし請求項５のいずれか１項に記載の発明の構成において、前記制御手段は、給茶機本体の給茶モータが起動されてから所定時間内は、電気ポット本体の給湯ポンプに対する通電量を給茶モータを起動しない場合の通電量よりも少なくなるように制御するものであることを特徴とする。
【００１７】
請求項７記載における給茶機能付き電気ポットは、請求項１ないし請求項６のいずれか１項に記載の発明の構成において、前記制御手段は、前記給湯ポンプが起動された場合には給茶動作を所定の期間にわたって停止するものであることを特徴とする。
【発明の効果】
【００１８】
請求項１記載の発明によれば、電気ポット本体と給茶機本体とが一体的に結合されていて、お茶を飲むのに適した茶対応保温温度に湯を保温したり、高温に湯を加熱して保温したりすることにより、給茶機能との整合性を保つように湯の温度制御を行うことができる。しかも、湯の温度制御は単一の制御手段によって行われるため、装置全体の制御機能の構成が簡素化されるとともに、安価に実現することが可能になる。
【００１９】
請求項２記載の発明によれば、請求項１記載の発明の効果に加えて、通常は高温保温モードよりも茶対応保温モードが優先されるので、お茶を飲みたいときに湯が比較的高温に保温されている状態から喫茶に適した温度まで湯が自然に冷えるのを待ったり、冷水を注ぎ足したりするなどの余分な手間と時間が不要となる。
【００２０】
請求項３記載の発明によれば、請求項１または請求項２に記載の発明の効果に加えて、茶対応保温モードが設定された場合には湯を沸騰させることなく茶対応保温温度まで昇温してから保温される。したがって、短時間の内に喫茶に適した温度まで到達させることができ、スピーディにお茶を入れることができる。
【００２１】
請求項４記載の発明によれば、請求項１ないし請求項３のいずれか１項に記載の発明の効果に加えて、通常は茶対応保温モードが優先されているが、熱い湯が必要なときには直ちに高温保温モードに移行させて湯を沸騰させた後に高温保温モードで設定された湯温に保温することができる。
【００２２】
請求項５記載の発明によれば、請求項１ないし請求項４のいずれか１項に記載の発明の効果に加えて、湯沸かし中であっても、お茶を飲むのに適した温度範囲内であれば給湯することができる。このため、直ぐにでもお茶を飲みたいという要求に十分に応えることが可能になる。
【００２３】
請求項６記載の発明によれば、請求項１ないし請求項５のいずれか１項に記載の発明の効果に加えて、給茶機本体の給茶モータが起動されてから所定時間内は、電気ポット本体の給湯ポンプに対する通電量を給茶モータを起動しない場合の通電量よりも少なくするので、給湯時の湯の勢いが強くて粉茶が舞い上がって飛散するなどの不具合発生を確実に防止することができる。
【００２４】
請求項７記載の発明によれば、請求項１ないし請求項６のいずれか１項に記載の発明の効果に加えて、給湯ポンプが起動された場合には給茶動作を所定期間にわたって停止するので、給湯時の蒸気が茶吐出口から給茶機械本体内に侵入して粉茶が湿気て固化するなどの不具合が生じるのを防止することができる。
【発明を実施するための最良の形態】
【００２５】
［実施の形態１］
図１はこの実施の形態１における給茶機能付き電気ポットの全体を示す斜視図、図２は同正面図、図３は図２の縦断面図、図４は図２のＡ−Ａ線に沿う断面図、図５は同じ給茶機能付き電気ポットの操作パネルの部分を拡大して示す平面図である。
【００２６】
この実施の形態１における給茶機能付き電気ポット１は、電気ポット本体２と給茶機本体３とが外装ケース４によって一体的に結合されている。
【００２７】
電気ポット本体２には、湯を貯めるために断熱構造をなすステンレス鋼製の真空二重容器で構成された内容器７、湯の吐出口８、内容器７の湯を吐出口８に給湯する給湯ポンプ９、湯の加熱保温用のヒータ１０、給水用の開閉蓋１１、湯の温度を検出する図示しない温度センサなどが設けられている。
【００２８】
さらに、電気ポット本体２の上部の開閉蓋１１よりも前方の突出部分には、その内部にマイクロコンピュータ（以下、単にマイコンという）で構成される制御手段１２が設けられ、さらにその上部には給湯用操作パネル１５が設けられている。
【００２９】
給湯用操作パネル１５には、保温モード選択キー１６、湯を再沸騰させる場合に操作される再沸騰キー１７、給湯ポンプ９を起動するための給湯キー１８、この給湯キー１８のロック状態を解除するために操作されるロック解除キー１９、および液晶表示部２０などが設けられている。
【００３０】
そして、上記の保温モード選択キー１６は、特許請求の範囲における保温モード設定手段に相当するもので、お茶（ここでは主として粉茶）を飲むのに適した茶対応温度（例えば、ここでは８５℃）に湯を保温する茶対応保温モードを設定したり、これよりも高温（例えば、ここでは沸騰温度に近い９８℃、あるいは省エネ用の９０℃）に湯を保温する高温保温モードを設定できるようになっている。そして、液晶表示部２０には、この保温モード選択キー１６で選択された保温モードに対応した保温温度（例えば８５℃，９８℃，９０℃）が表示される。
【００３１】
一方、給茶器本体３には、粉茶を貯留するためのホッパ２３、ホッパ２３への茶投入用の開閉蓋２４、粉茶を外部に排出する吐出口２５、ホッパ２３内の粉茶を吐出口２５に送るスクリュ２６および給茶モータ２７などが設けられている。また、外装ケース４の前方上部には、給茶用操作パネル３０が設けられている。
【００３２】
給茶用操作パネル３０には、給茶動作を実行する場合に操作される給茶キー３１、お茶を追加する場合に操作される追加キー３２、茶種として粉茶かコーヒーかを選択する選択キー３３、茶種を明示するＬＥＤなどの表示ランプ３４などが設けられている。
【００３３】
そして、上記の制御手段１２は、マイコンに所定の制御プログラムをインストールすることにより、給湯用操作パネル１５および給茶用操作パネル３０の各キー操作に応じて電気ポット本体２と給茶機本体３の双方の動作を制御する機能を果たすようになっている。  
【００３４】
次に、上記構成の給茶機能付き電気ポットにおける制御手段１２による湯温制御動作について、図６に示すフローチャートを参照して説明する。なお、図中の符号Ｓは各処理ステップを意味する。
【００３５】
制御手段１２は、湯温制御を開始したときには、まず、図示しない温度センサの検出出力に基づいて湯温が８０℃以上か否かを判断する（ステップ０）。湯温が８０℃を越えている場合には、保温モード選択キー１６で設定されている保温モードに基づいて湯温を保温する制御を行う（ステップ９）。例えば、給湯用操作パネル１５の保温モード選択キー１６で設定されているのが茶対応保温モードであれば、その保温モードに応じた茶対応保温温度（８５℃）まで昇温してから保温する温度制御に移行する。また、保温モード選択キー１６によって高温保温モードとして９８℃保温モードが設定されているときには湯温を９８℃まで加熱して保温し、また、保温モード選択キー１６によって高温保温モードとして省エネ保温モードが設定されているときには湯温を９０℃まで加熱して保温する制御を行う。
【００３６】
一方、ステップ０で、湯温が８０℃以下であるときには、茶対応保温モードが既に設定されているか否かを判断する（ステップ１）。茶対応保温モードが設定されていなければ、湯が沸騰加熱するまで加熱し（ステップ１０）、その後、目標温度に達したならば、
保温モード選択キー１６で設定されている高温保温モード（すなわち、９８℃あるいは９０℃の加熱保温モード）に保温する温度制御を行う（ステップ１１）。
【００３７】
また、ステップ１で茶対応保温モードが既に設定されているときには、保温モード選択キー１６で高温保温モード（９８℃あるいは９０℃）が新たに設定されたか否かを判断する（ステップ２）。高温保温モードが新たに設定された場合には、湯が沸騰するまで一旦加熱し（ステップ１０）、その後、湯温が低下して目標温度（９８℃あるいは９０℃）に達したならば、この温度に保温する温度制御を行う（ステップ１１）。このように、通常は茶対応保温モードが優先されているが、熱い湯が必要なときには直ちに高温保温モードに移行させて湯を沸騰させた後に高温保温モードで設定された湯温（９８℃あるいは９０℃）に保温することができるため便利である。
【００３８】
また、ステップ２で高温保温モードが新たに設定されなかった場合には、制御手段１２は、次に再沸騰キー１７がオンされたか否かを判断する（ステップ３）。再沸騰キー１７がオンされた場合には、湯が沸騰加熱するまで加熱し（ステップ１０）、その後、目標温度（８５℃、９８℃、９０℃のいずれかの温度）に達したならば、保温モード選択キー１６で設定された保温モードに対応した温度に保温する温度制御を実行する（ステップ１１）。
【００３９】
さらに、ステップ３で再沸騰キー１７がオンされなかった場合、制御手段１２は、温度センサの検出出力に基づいて湯温が７０℃以上か否かを判断する（ステップ４）。湯温が７０℃以上であれば、給湯ロックを解除して給湯可能な状態にする（ステップ５）。一方、湯温が７０℃以下であれば、お茶を飲むのに不適な温度であるので給湯用操作パネルの例えば液晶表示部２０に警告等を表示して注意を促す（ステップ６）。なお、警告表示の代わりに給湯ロック状態を強制的に維持して給湯キー１８を操作しても出湯しないようにしてもよい。
【００４０】
そして、引き続いて茶対応保温温度（８５℃）に達するまで加熱し（ステップ７）、その目標温度に達すると（ステップ８）、この茶対応保温温度（８５℃）で保温されるように温度制御を行う（ステップ９）。
【００４１】
このように、この実施の形態１では、電気ポット本体２と給茶機本体３とが一体的に結合されていて、お茶を飲むのに適した茶対応保温温度に湯を保温したり、それよりも高温に湯を加熱して保温したりして、給茶機能との整合性を保つように湯の温度制御を行うことができる。しかも、湯の温度制御は単一の制御手段１２によって行われるため、装置全体の制御機能の構成が簡素化されるとともに、安価に実現することが可能になる。
【００４２】
また、通常は高温保温モードよりも茶対応保温モードが優先されるので、お茶を飲みたいときに湯が比較的高温に保温されている状態から喫茶に適した温度まで湯が自然に冷えるのを待ったり、冷水を注ぎ足したりするなどの余分な手間と時間が不要となる。
【００４３】
さらに、保温モードが設定されたときには常に湯を沸騰させるようにすると、内容器７が真空二重容器で構成されているためにお茶を飲むのに最適な茶対応保温温度（８５℃）まで湯温が低下するまでに時間がかかってしまう。これに対して、この実施の形態１では、茶対応保温モードが設定された場合には湯を沸騰させることなく茶対応保温温度まで昇温するとその温度で保温されるため、短時間の内にお茶が飲めるようになる。
【００４４】
［実施の形態２］
この実施の形態２の給茶機能付き電気ポットの基本的な構成は図１ないし図５に示した実施の形態１の場合と同様であるので、ここでは詳しい説明は省略する。
【００４５】
この実施の形態２の特徴は、制御手段１２による湯の温度制御動作にある。したがって、ここでは、制御手段１２による湯温制御動作について、図７に示すフローチャート、および図８に示すタイミグチャートを参照して説明する。なお、図中の符号Ｓは各処理ステップを意味する。
【００４６】
給湯用操作パネル３０の保温モード選択キー１６によって高温保温モード（９８℃あるいは９０℃の保温）が設定された場合には（ステップ２０）、実施の形態１の場合と同様に、湯が沸騰加熱するまで一旦加熱する（ステップ２１）。そして、図示しない温度センサによって沸騰が検知されたならば（ステップ２２）、制御手段１２が備える内部タイマによる計時を開始した後（ステップ２３）、９８℃あるいは９０℃に保温する温度制御を行う（ステップ２４）。
【００４７】
そして、この実施の形態２の特徴として、高温保温モード（９８℃または９０℃）が選択された場合であっても、所定の時間Ｔ0が経過したときには（ステップ２５）、高温保温モードから茶対応保温モードに切り替える。すなわち、ヒータ１０への通電をオフにして茶対応保温温度（８５℃）まで湯温が低下するようにし（ステップ２６）、茶対応保温温度（８５℃）に湯温が到達すると（ステップ２７）、この茶対応保温温度が維持されるようにヒータ１０の通電をオン／オフするなどして保温制御を行う（ステップ２８）。
【００４８】
このように、この実施の形態２では、高温保温モード（９８℃あるいは９０℃）を設定した場合でも、所定時間Ｔ0が経過した後は自動的に茶対応保温モードに移行してお茶を飲むのに適した温度（８５℃）に保温されるため、お茶を飲むために給湯用操作パネル１５の保温モード選択キー１９を操作するなどの余分な手間が不要となって便利である。
【００４９】
［実施の形態３］
この実施の形態３の給茶機能付き電気ポットの基本的な構成は図１ないし図５に示した実施の形態１の場合と同様であるので、ここでは詳しい説明は省略する。
【００５０】
この実施の形態３の特徴は、制御手段１２による給湯および給茶の連携制御動作にある。したがって、ここでは制御手段１２による給湯および給茶の制御動作について、図９に示すフローチャートを参照して説明する。なお、図中の符号Ｓは各処理ステップを意味する。
【００５１】
例えば、ここでは給茶用操作パネル３０の茶種選択キー３３によって粉茶を選択した後、給茶キー３１を操作すると（ステップ３０）、給茶モータ２７によりスクリュ２６が駆動されてホッパ２３に貯められている一定量の粉茶が吐出口２５から吐出される。この粉茶が吐出される時点で給湯ロックが解除されて給湯キー１７の操作が可能になる（ステップ３１）。給茶キー３１が操作されたということは引き続いて出湯動作が行われてお茶を飲むことが想定される。したがって、この実施の形態３のように、給茶動作に連動して自動的に給湯ロックが解除されるようにしておけば、その都度、給茶キー３１の操作とワンセットでロック解除キー１９を押すといった手間を省くことができるので便利である。
【００５２】
次いで、制御手段１２が備える第１内部タイマによる計時を開始する（ステップ３２）。この第１内部タイマは、給湯ポンプ９の能力を小さくする期間Ｔ１を設定するために使用される。そして、この第１内部タイマがタイムアップしたか否かを判断し（ステップ３３）、タイムアップしていなければ、給湯キー１８がオンされたか否かを判断する（ステップ３４）。給湯キー１８がオンされなければステップ３３に戻る一方、給湯キー１８がオンされたならば、給湯ポンプ９の駆動電圧を通常の場合よりも小さく設定してから（ステップ３５）、給湯ポンプ９を動作させて給湯を行う（ステップ３６）。このときは、給湯ポンプ９からの給湯量は通常の場合よりも少ないので、茶碗などの容器３６に入れた粉茶が湯の勢いよって飛び散るなどの不具合を防止することができる。
【００５３】
そして、第２内部タイマによる計時を開始する（ステップ３７）。この第２内部タイマは、給湯後に給茶動作を停止させるための期間Ｔ２を設定するために使用される。続いて、給茶キー３１を操作しても給茶モータ２７が動作しないように給茶動作をロックして（ステップ３８）、ステップ３３に戻る。
【００５４】
時間経過により、第１内部タイマがタイムアップすると（ステップ３３）、次に、第２内部タイマがタイムアップしたか否かを判断する（ステップ３９）。そして、第２内部タイマがタイムアップすると（ステップ３９）、給茶動作が可能なようにロックを解除する（ステップ４０）。このように、第２内部タイマがタイムアップするまでの期間Ｔ２中は給茶動作がロックされているので、給湯時の蒸気が吐出口２５からホッパ２３内に侵入して粉茶が湿気るなどの不具合を防止することができる。
【００５５】
ステップ３０において給茶キー３１がオンされない場合、あるいはステップ４０で給茶動作のロックが解除されると、次に、安全性確保のため給湯ロックを行って給湯キー１８が押されても給湯されないようにする（ステップ４１）。次に、ロック解除キー１９が押された場合には（ステップ４２）、給湯キー１８のロックを解除して給湯可能な状態にする（ステップ４３）。
【００５６】
引き続いて、給湯キー１８がオンされたか否かを判断し（ステップ４４）、給湯キー１８がオンされたときには、給湯ポンプ９の駆動電圧をお茶を飲む場合の駆動電圧よりも大きく設定してから（ステップ４５）、給湯ポンプ９を動作させて給湯を行う（ステップ４６）。この場合、粉茶が飲まれない可能性が高いので、給湯ポンプによる給湯量を多しても何ら不具合は生じない。
【００５７】
このように、この実施の形態３では、給茶機本体３の給茶モータ２７が起動されてから所定期間Ｔ１内は、電気ポット本体２の給湯ポンプ９に対する通電量を給茶モータ２７を起動しない場合の通電量よりも少なくして給湯量を抑えるので、茶碗やコップなどの容器３６に入れた粉茶が湯の吐出時の勢いのために飛び散るなどの不具合発生を確実に防止することができる。
【００５８】
また、給湯ポンプ９が起動された場合には給茶動作を所定期間Ｔ２にわたって停止するので、給湯時の蒸気が吐出口２５からホッパ２３に侵入して粉茶が湿気て固化するなどの不具合が生じるのを防止することができる。
【００５９】
なお、この実施の形態３において、給茶動作が行われた後の所定期間Ｔ１中は給湯量を少なくするようにしているが、これに限らず、例えば、最初は給湯ポンプ９による給湯量を少なくしておき、時間経過と共に次第に給湯量を増加させるような制御を行うようにしてもよい。
【００６０】
上記の各実施の形態１〜３について、次のような各種の変形例や応用例を考えることができる。
上記の各実施の形態１〜３では、理解を容易にするために茶対応保温モードにおける茶対応温度として８５℃を、高温保温モードとして沸騰温度に近い９８℃（省エネ用では９０℃）をそれぞれ保温温度した場合について説明したが、これらの値に限定されるものでないことは勿論である。
【００６１】
また、上記の各実施の形態１〜３では、粉茶を給茶して喫茶する場合について説明したが、本発明はこれに限定されるものではなく、紅茶やコーヒーなど、他の茶種を喫茶する場合についても適用することができる。この場合、茶種に応じて給湯ポンプ９の動作時間を変えて適切な給湯量が自動的に設定される構成とすることも可能である。また、茶種に応じてホッパ２３の形状を変えるとともに、各ホッパ２３の形状に応じたスイッチを設け、ホッパ２３を給茶機本体３にセットすると、茶種に応じたスイッチがオンして自動的に茶種を判別できるようにすることも可能である。
【００６２】
また、粉茶がホッパ２３内に長期に放置されたままであると品質が劣化するので、ホッパ２３の開閉蓋２４に開閉検知センサを設けて、粉茶の賞味期間よりも長く開閉蓋２４の開閉が行われなかった場合には報知できるようにしてもよい。
【００６３】
さらにまた、上記の各実施の形態１〜３においては、単一の制御手段１２を設け、この制御手段１２によって給茶機能と給湯機能とを共に制御している。しかし、既存の電気ポットの給湯機能をそのまま維持して、給茶機能のみを新たに付加する場合には給茶機本体３側に専用の制御手段を設け、電気ポット側の制御手段との連携をとるように構成することも可能である。これにより、新たに制御プログラムを作成する場合に比較して開発費の削減が可能になる。
【図面の簡単な説明】
【００６４】
【図１】本発明の実施の形態１における給茶機能付き電気ポットの全体を示す斜視図である。
【図２】図１の給茶機能付き電気ポットの正面図である。
【図３】図２の縦断面図である。
【図４】図２のＡ−Ａ線に沿う断面図である。
【図５】図１の給茶機能付き電気ポットの操作パネルの部分を拡大して示す平面図である。
【図６】本発明の実施の形態１における給茶機能付き電気ポットにおいて、制御手段による温度制御動作の説明に供するフローチャートである。
【図７】本発明の実施の形態２の給茶機能付き電気ポットにおいて、制御手段による温度制御動作の説明に供するフローチャートである。
【図８】本発明の実施の形態２の給茶機能付き電気ポットにおいて、制御手段による温度制御動作の説明に供するタイミグチャートである。
【図９】本発明の実施の形態３の給茶機能付き電気ポットにおいて、制御手段による温度制御動作の説明に供するフローチャートである。
【符号の説明】
【００６５】
１    給茶機能付き電気ポット
２    電気ポット本体
３    給茶機本体
７    内容器
８    吐出口
９    給湯ポンプ
１０    ヒータ
１２    制御手段
１６    保温モード選択キー（保温モード設定手段）
２３    ホッパ
２５    吐出口
２７    給茶モータ
【図１】
2005296054.tif 000003
【図２】
2005296054.tif 000004
【図３】
2005296054.tif 000005
【図４】
2005296054.tif 000006
【図５】
2005296054.tif 000007
【図６】
2005296054.tif 000008
【図７】
2005296054.tif 000009
【図８】
2005296054.tif 000010
【図９】
2005296054.tif 000011